(57)【要約】【課題】サンプル画像と原画像との合成プリント画像の画質を劣化させることがなく、ユーザの好みのサンプル画像を自分で選択することができ、高画質なフレームプリントを得ることができるフレームプリントシステム、これに用いられるサンプル画像表示カード、カメラおよびレンズ付きフィルムを提供する。【解決手段】複数のサンプル画像を画像識別情報と対応させて記憶する記憶手段と、写真フィルムの磁気または光学情報記録領域に記録された画像識別情報を読み取るための第２読取手段と、写真フィルムの各駒の画像を光電的に読み取る第３読取手段と、記憶手段から読み出され、第２読取手段によって読み取られた画像識別情報に対応するサンプル画像を第３読取手段によって読み取られた各駒の画像に合成する画像合成手段と、合成された各駒の合成画像をフレームプリントとして出力する画像出力手段とを有することにより、上記課題を解決する。【選択図】図７
2004053843.tif 000002
【特許請求の範囲】
【請求項１】
プリント画像にサンプル画像がフレーム画像として合成されたフレームプリントを出力するフレームプリントシステムに用いられるカメラに装着されるサンプル画像表示カードであって、
前記カメラによって認識可能な光学的または物理的なカード識別情報と、
前記カメラによって撮影された写真フィルムをプリントする際に各駒のプリント画像に前記フレームとして合成するための少なくとも１つのサンプル画像とを有することを特徴とするサンプル画像表示カード。
【請求項２】
プリント画像にサンプル画像がフレーム画像として合成されたフレームプリントを出力するフレームプリントシステムに用いられ、撮影される各駒に対応して磁気情報記録領域が設けられている写真フィルムを用いるカメラであって、
請求項１に記載のサンプル画像表示カードの少なくとも一枚と、
前記サンプル画像表示カードを交換可能に装着する装着部と、
装着された前記サンプル画像表示カードを認識するための前記カード識別情報を光学的または物理的に読み取る第１読取手段と、
装着された前記サンプル画像表示カードの前記サンプル画像に対応して設けられ、前記プリント画像に合成させるための当該サンプル画像を選択する画像選択手段と、
撮影された前記写真フィルムの駒の前記磁気情報記録領域に、装着された前記サンプル画像表示カードの前記カード識別情報および前記画像選択手段によって選択された前記サンプル画像の選択情報を含む当該サンプル画像の画像識別情報を書き込むための磁気記録ヘッドとを有することを特徴とするカメラ。
【請求項３】
プリント画像にサンプル画像がフレーム画像として合成されたフレームプリントを出力するフレームプリントシステムに用いられるレンズ付きフィルムであって、
リーダー部の磁情報気記録領域または光学情報記録領域に、予めプリント画像に合成させるサンプル画像の画像識別情報が書き込まれた写真フィルムと、
この写真フィルムが組み込まれたレンズ付きフィルム本体と、
前記写真フィルムが組み込まれたレンズ付きフィルム本体を包装するための包装材とを有し、
前記サンプル画像を前記レンズ付きフィルム本体の外表面または前記包装材の外表面に表示させたことを特徴とするレンズ付きフィルム。
【請求項４】
請求項２に記載のカメラで撮影された前記写真フィルムまたは請求項３に記載のレンズ付きフィルムで撮影された写真フィルムをプリントする際に、プリント画像にサンプル画像がフレーム画像として合成されたフレームプリントを出力するフレームプリントシステムであって、
複数の前記サンプル画像を、それぞれ前記サンプル画像の画像識別情報と対応させて記憶する記憶手段と、
前記写真フィルムの前記磁気情報記録領域または前記光学情報記録領域に記録された前記サンプル画像の画像識別情報を読み取るための第２読取手段と、
前記写真フィルムの各駒の画像を光電的に読み取る第３読取手段と、
前記記憶手段から読み出された、前記第２読取手段によって読み取られた前記サンプル画像の画像識別情に対応する前記サンプル画像を、前記第３読取手段によって読み取られた前記各駒の画像に合成する画像合成手段と、
画像合成手段によって合成された各駒の合成画像をフレームプリントとして出力する画像出力手段とを有することを特徴とするフレームプリントシステム。
【発明の詳細な説明】
【０００１】
【発明の属する技術分野】
本発明は、フレームプリントシステム、これに用いられるサンプル画像表示カード、カメラおよびレンズ付きフィルムに関し、詳しくは、写真フィルムの各駒のプリント画像に予め用意されたサンプル画像がフレーム画像として合成されたフレームプリントを出力するフレームプリントシステム、サンプル画像を選択するためのサンプル画像表示カード、このサンプル画像表示カードを装着してサンプル画像を選択することができるＡＰＳ（新写真システム；Ａｄｖａｎｃｅｄ　Ｐｈｏｔｏ　Ｓｙｓｔｅｍ　）のカメラ等のカメラおよびサンプル画像が予め容易されたレンズ付きフィルムに関する。
【０００２】
【従来の技術】
従来より、写真フィルムのプリント画像と背景画像や文字（画像）やフレーム（画像）とを合成して、文字入りプリントや合成画像プリントやフレームプリントを出力することが行われている。
文字入りプリントは、例えば、特開２０００−５６４０７号公報に開示されているように、プリント画像内に所定の位置に撮影日付が焼き付けられているものである。この場合、プリント画像内に焼き付けられている日付は、撮影時に写真フィルムにカメラによって自動的に露光されているものが多い。
【０００３】
合成画像プリントは、プリント画像と背景画像や文字（画像）とがそれぞれ別々の領域に配置されたり、重ね合わされたりして合成されたものである。この合成画像プリントには、例えば、写真ポストカード用プリントとして出力されるものがあり、年賀状や結婚の報告状などの郵便はがき等の台紙に貼り付けて、写真ポストカードとして用いられる。このような写真ポストカードを作製する写真ポストカード用プリントを出力するための文字と画像の合成プリント方法が、特開平１０−２９４８５２号公報に開示されている。
また、合成画像プリントには、フレームプリントと呼ばれるものもある。このフレームプリントは、写真フィルムのプリント画像の周辺部に予め用意されたフレーム画像（以下、単にフレームともいう）を合成したものである。
【０００４】
また、合成画像プリントやフレームプリントにおいては、予め背景画像やフレーム画像等のサンプル画像が露光された（焼き込まれた）写真フィルムの駒に被写体を撮影することにより、被写体（原画像）と、背景画像やフレーム画像等のサンプル画像とが合成され、フィルム画像として焼き付けられた（露光された）合成フィルム画像を作製し、または、すでに被写体が撮影された写真フィルムのフィルム画像（原画像）と予め用意されている背景画像やフレーム画像等のサンプル画像とを別の写真フィルムの駒上にマスク合成して合成フィルム画像を作製して、合成フィルム画像から直接露光し、または間接露光し（一旦、デジタル画像データに変換して、得られたデジタル画像データに基づいて露光し）、現像して合成プリント画像を作製するものや、撮影画像（原画像）と背景画像やフレーム画像等のサンプル画像とをそれぞれデジタル画像データ（信号）として取得しておき、これらをデジタル合成してデジタル合成画像データを取得し、得られたデジタル画像データに基づいて露光し、現像して合成プリント画像を作製するものなどがある。
なお、後者の原画像とサンプル画像とをデジタル合成して合成プリント画像を作製する方法は、上述した特開平１０−２９４８５２号公報に開示されているように、デジタルフォトプリンタを用いるデジタルプリントシステムの実現により容易に行うことができる。
【０００５】
【発明が解決しようとする課題】
しかしながら、上述した文字入りプリントや合成画像プリント（フレームプリント）の作製方法の内、写真フィルムに直接、文字やサンプル画像を焼き付けて合成フィルム画像を得る方式では、合成プリント画像の画質が劣化してしまうという問題があった。
一方、特開平１０−２９４８５２号公報に開示された合成プリント画像を作製する方法では、合成画像プリントやフレームプリントの作製するために撮影原画像と合成する背景画像やフレーム画像等のサンプル画像は、ラボ店や現像所などの写真サービス業者等に予め用意されているものであるので、ユーザは、カメラで撮影する時やレンズ付きフィルムを購入する時に、背景画像やフレーム画像等のサンプル画像を選択することができず不満があるという問題があった。
【０００６】
本発明の目的は、上記従来技術の問題点を解消し、デジタルプリントシステムのデジタルフォトプリンタを用い、フレーム画像や背景画像や文字画像等のサンプル画像とユーザの撮影画像（原画像）とが合成された合成プリント画像を作製する際に、合成プリント画像の画質を劣化させることがなく、ユーザが撮影時に合成させたいサンプル画像を自分で選択することができ、ユーザの好みのサンプル画像が合成された高画質なフレームプリントを得ることができるフレームプリントシステム、これに用いられるサンプル画像表示カード、カメラおよびレンズ付きフィルムを提供するにある。
【０００７】
【課題を解決するための手段】
上記の目的を達成するために、本発明の第１の態様は、プリント画像にサンプル画像がフレーム画像として合成されたフレームプリントを出力するフレームプリントシステムに用いられるカメラに装着されるサンプル画像表示カードであって、
前記カメラによって認識可能な光学的または物理的な第１識別情報と、
前記カメラによって撮影された写真フィルムをプリントする際に各駒のプリント画像に前記フレームとして合成するための少なくとも１つのサンプル画像とを有することを特徴とするサンプル画像表示カードを提供するものである。
【０００８】
また、上記の目的を達成するために、本発明の第２の態様は、プリント画像にサンプル画像がフレーム画像として合成されたフレームプリントを出力するフレームプリントシステムに用いられ、撮影される各駒に対応して磁気情報記録領域が設けられている写真フィルムを用いるカメラであって、
請求項１に記載のサンプル画像表示カードの少なくとも一枚と、
前記サンプル画像表示カードを交換可能に装着する装着部と、
装着された前記サンプル画像表示カードを認識するための前記カード識別情報を光学的または物理的に読み取る第１読取手段と、
装着された前記サンプル画像表示カードの前記サンプル画像に対応して設けられ、前記プリント画像に合成させるための当該サンプル画像を選択する画像選択手段と、
撮影された前記写真フィルムの駒の前記磁気情報記録領域に、装着された前記サンプル画像表示カードの前記第１識別情報および前記画像選択手段によって選択された前記サンプル画像の選択情報を含む当該サンプル画像の画像識別情報を書き込むための磁気記録ヘッドとを有することを特徴とするカメラを提供するものである。
【０００９】
また、上記の目的を達成するために、本発明の第３の態様は、プリント画像にサンプル画像がフレーム画像として合成されたフレームプリントを出力するフレームプリントシステムに用いられるレンズ付きフィルムであって、
リーダー部の磁情報気記録領域または光学情報記録領域に、予めプリント画像に合成させるサンプル画像の画像識別情報が書き込まれた写真フィルムと、
この写真フィルムが組み込まれたレンズ付きフィルム本体と、
前記写真フィルムが組み込まれたレンズ付きフィルム本体を包装するための包装材とを有し、
前記サンプル画像を前記レンズ付きフィルム本体の外表面、または前記包装材の外表面に表示させたことを特徴とするレンズ付きフィルムを提供するものである。
【００１０】
また、上記の目的を達成するために、本発明の第４の態様は、上記のカメラで撮影された前記写真フィルムまたは上記のレンズ付きフィルムで撮影された写真フィルムをプリントする際に、プリント画像にサンプル画像がフレーム画像として合成されたフレームプリントを出力するフレームプリントシステムであって、
複数の前記サンプル画像を、それぞれ前記サンプル画像の画像識別情報と対応させて記憶する記憶手段と、
前記写真フィルムの前記磁気情報記録領域または前記光学情報記録領域に記録された前記サンプル画像の画像識別情報を読み取るための第２読取手段と、
前記写真フィルムの各駒の画像を光電的に読み取る第３読取手段と、
前記記憶手段から読み出された、前記第２読取手段によって読み取られた前記サンプル画像の画像識別情に対応する前記サンプル画像を、前記第３読取手段によって読み取られた前記各駒の画像に合成する画像合成手段と、
画像合成手段によって合成された各駒の合成画像をフレームプリントとして出力する画像出力手段とを有することを特徴とするフレームプリントシステムを提供するものである。
【００１１】
【発明の実施の形態】
本発明に係るフレームプリントシステム、これに用いられるサンプル画像表示カード、カメラおよびレンズ付きフィルムを添付の図面に示す好適実施例に基づいて以下に詳細に説明する。
本発明のフレームプリントシステムは、写真フィルムに直接サンプル画像を焼き付けるものではなく、ユーザによって選択されて、撮影時に写真フィルムの磁気情報記録領域に書き込まれた、または予め写真フィルムの磁気情報記録領域または光学情報記録領域に書き込まれた、フレーム画像等のサンプル画像の識別情報を、プリントする際に磁気情報読取手段または光学情報読取手段によって読み取り、読み取られたサンプル画像の識別情報に合うサンプル画像をフレーム画像として写真フィルムのフィルム画像（原画像）に直接合成してプリントし、フレームプリントを作製するものである。
【００１２】
図１（ａ）および（ｂ）は、本発明の第１の態様のフレームプリントシステムに用いられるサンプル画像表示カードの一実施例の概略正面図およびその裏面図である。
図１（ａ）および（ｂ）に示すサンプル画像表示カード（以下、単に表示カードという）６０は、カメラの所定位置に挿入または装着して用いられ、カメラによって撮影された写真フィルムをプリントする際に各駒のプリント画像にフレーム画像として合成するためのサンプル画像を表示するものであって、図１（ａ）に示すように、表面に、複数、図示例ではフレーム画像として８個（種）のサンプル画像６２（６２ａ〜６２ｈ）を上下に４個（種）ずつ配置し、図１（ｂ）に示すように、裏面に、当該表示カード６０を識別するための、カメラが認識可能な、当該サンプル画像表示カード６０のカード識別情報（以下、カードＩＤという）６４をバーコードなどの光学情報として有するものである。
【００１３】
また、本発明において、表示カード６０の形状や寸法（大きさ）は、特に制限的ではないが、カメラに挿入または装着するものであるので、カメラの寸法（大きさ）や形状に応じて、適宜設定すればよく、自ずと設定されるものであるが、表示するサンプル画像６２の大きさや画像数に応じて適宜設定しても良い。
【００１４】
本発明において、サンプル画像６２としては、ユーザが好むもので、版権・社会的常識に反しないものであれば、どのようなものでも良い。例えば、ディズニーなどの企画物キャラクタ、アニメなどのキャラクタや、有名人、アイドル、風景、シンボルマーク、動物、植物、模様などを挙げることができ、特に制限的ではなく、何でも良い。表示カード６０の１枚あたりのサンプル画像６２の数は、特に制限的ではないが、例えば、表示カード６０の形状や寸法（大きさ）や、サンプル画像６２の寸法（大きさ）や、サンプル画像６２の画像数から、２個から２０個までの何個でも良く、また、２個から２０個までのいずれかの個数とするのが好ましいが、８個程度とするのがサンプル画像６２の大きさや画像数からより好ましい。表示カード６０は、シリーズのサンプル画像６２や単独のサンプル画像６２で作成しても良い。
【００１５】
表示カード６０の裏面に設けられるカードＩＤ６４は、カメラが光学的または物理的に認識できるものであれば何でもよく、図示例のバーコードなどの光学情報がより好ましいが、本発明はこれに限定されず、光学読取が可能な数字や文字等の光学情報であっても良いし、光学読取や物理的な読取が可能でカードの識別が可能なパンチ孔や切り欠き等の物理情報等であっても良い。このようなパンチ孔や切り欠き等の物理情報においては、その位置や数でカードＩＤを表すことができる。
【００１６】
ところで、サンプル画像６２は、図１１（ａ）に示すフレームプリントＦＰ１のように、プリント画像Ｐ１の全周囲、いわゆる全フレームを囲むフレーム画像Ｆ１であっても、図１１（ｂ）に示すフレームプリントＦＰ２のように、プリント画像Ｐ２の周囲の一部に、図示例では左上隅のみに合成（重ね合わせ合成）されるフレーム画像Ｆ２であっても良い。
なお、表示カード６０のサンプル画像６２は、プリント画像Ｐ１に合成される全フレーム画像Ｆ１を表すものに限定されず、例えば、１つの表示カード６０において１つに固定されるフレーム画像としてのサンプル画像６２Ａを表示カード６０の図中に左端側に表示し、サンプル画像６２Ａの一部を入れ替えるためのサンプル画像６２を表示カード６０の右側に上下に４個配置し、サンプル画像６２Ａとサンプル画像６２とを組み合わせた合成サンプル画像をフレーム画像としても良い。また、この場合、表示カード６０のサンプル画像６２Ａや６２Ｂを上下に配置して、上下に４個のサンプル画像６２と対応付けて選択できるようにしても良い。
【００１７】
ところで、サンプル画像６２は、同数のサンプル画像６２を持つ表示カード６０であれば、いずれの表示カード６０においても、その位置によって同一の固有の選択識別情報（以下、選択ＩＤという）が設定されているので、当該表示カード６０のカードＩＤと選択されたサンプル画像６２の選択ＩＤを組み合わせることにより、選択されたサンプル画像６２を特定するためのただ１つの画像識別情報（以下、画像ＩＤという）を設定することができる。
また、表示カード６０にサンプル画像６２Ａが表示されている場合にも、当該表示カード６０のカードＩＤと選択されたサンプル画像６２の選択ＩＤを組み合わせることにより、サンプル画像６２Ａと選択されたサンプル画像６２とを組み合わせた合成サンプル画像をフレーム画像として特定するためのただ１つの画像ＩＤを設定することができる。
【００１８】
次に、本発明の第１の態様のサンプル画像表示カードを装着または挿入して用いられる本発明の第２の態様のカメラについて説明する。
図２は、図１に示すサンプル画像表示カードが装着または挿入されたカメラの一実施例の裏面側の概略斜視図であり、図３は、図２に示すカメラの正面側の概略斜視図であり、図４は、図２および図３に示すカメラのサンプル画像の識別情報の生成および記録を行う制御系の一実施例のブロック図である。
【００１９】
図２および図３に示すように、本発明の第２の態様のカメラ７０は、撮影される各駒に対応して磁気情報記録領域が設けられている写真フィルム、いわゆる、ＡＰＳ（新写真システム；Ａｄｖａｎｃｅｄ　Ｐｈｏｔｏ　Ｓｙｓｔｅｍ　）の２４０タイプの写真フィルム（以下、ＡＰＳフィルムという；図５参照）Ｆａを用いるタイプのカメラであり、かつ本発明のフレームプリントシステムに用いられるカメラであり、本発明の特徴とするフレームプリントを作製するためのフレーム画像としてサンプル画像を特定する構成部分として、ＡＰＳフィルムＦの各駒の画像領域ＧＡに被写体を撮影するカメラの機能を果たす構成部分とからなる。なお、カメラ７０に用いられるＡＰＳフィルムＦは、図５に示すように、通常はフィルムカートリッジＦｃに収納された状態で取り扱われ、撮影時やプリントのための読取時やプリント時等にカートリッジＦｃから引き出される。
【００２０】
図５に示すように、ＡＰＳフィルムＦは、一端がカートリッジＦｃのスプール軸Ｆｓに係止され、層状に巻き取られて収容されている。フィルムＦは、その長手方向の中央部に各コマの画像領域、図示例ではフルサイズの画像領域ＧＡを有し、その外側のフィルム幅方向のエッジの一端（図５中下側）には、画像領域ＧＡのフィルム長手方向の両側にそれぞれ各１個の２個のパーフォレーションホールＰが各コマ毎に設けられている。そして、このフィルムＦの画像領域ＧＡの外側のエッジの一端（図５中下側）の２個のパーフォレーションホールＰの間には、フィルム裏面側に磁気情報記録領域（以下、磁気トラックという）ＭＴが形成されている。他方、フィルムＦの画像領域ＧＡの外側エッジの逆側（図５中上側）には、潜像として光学的に記録され、業界規格として設定されたＤＸコードや拡張ＤＸコード等の規格化バーコードＤＣと、フィルム裏面側に磁気トラックＭＴが形成されている。なお、フィルムＦの画像領域ＧＡの外側エッジの逆側（図５中上側）の２個のパーフォレーションホールＰの間には、従来の規格化バーコードの１種であるＦＮＳコード等の規格化バーコードＤＣが潜像として光学的に記録されて、形成されていても良い。このような潜像ＤＸコードや潜像拡張ＤＸコードや潜像ＦＮＳコード等の潜像規格化バーコードＤＣは、フィルムＦに被写体を撮影した後、湿式現像処理することによって可視化される。
【００２１】
これらの磁気トラックＭＴには、フィルムを特定するためのフィルムＩＤ、各コマの画像領域ＧＡに記録された画像の撮影時の情報、プリント処理を行う時のプリントサイズやプリント枚数等の種々の情報が記録される。なお、パーフォレーションホールＰと反対側の磁気トラックＭＴは、主にカメラトラックとしてカメラ等の撮影装置によって撮影時の情報が記録され、パーフォレーションホールＰ側の磁気トラックＭＴは、現像時およびプリント時等の情報が記録されるラボトラックとして利用されている。なお、本発明においては、後述するサンプル画像の画像識別情報（以下、画像ＩＤという）は、いずれの側の磁気トラックＭＴに磁気記録されても良い。
このＡＰＳの２４０フィルムＦには、画像が記録されている領域を挟んでフィルム長手方向の両側にはアラウンドパーフォレーションホールＰａ、これらのフィルム長手方向両側にはフィルム固有の識別番号ＦＩＤ（図５中下側）とその光学情報他を示す規格化バーコードＤＣＮ（図５中上側）、フィルム先端側にはノッチＮＴ、後端側には図示しないデタッチパーフォレーションが設けられており、これらによって、フィルムＦの画像形成領域および先後端がそれぞれ識別できるようになっている。
【００２２】
ところで、本発明のカメラ７０は、このようなＡＰＳフィルムＦに被写体を撮影するカメラの機能を果たす構成部分として、筐体前面半部７１ａおよび筐体背面半部７１ｂからなるカメラ筐体７１と、電源レバー７２と、シャッターボタン７３と、撮影レンズ７４と、ファインダー窓７５と、オートフォーカス（ＡＦ）窓７６ａおよび７６ｂと、フラッシュ（発光窓）７７と、測光窓７８と、赤目軽減ランプ７９と、カートリッジ装填部８０と、カートリッジ蓋８１と、カートリッジ蓋８１の開放つまみ８２と、ファインダー接眼部８３と、プリントタイプ切替つまみ８４等とを有する。
なお、以下の説明において、前面は撮影レンズ７４の側、背面はファインダー接眼部８３の側をいい、上下左右は、シャッターボタン７３を上側にしてカメラ７０を図２では背面から、図３では前面から見た場合のことをいう。
【００２３】
ここで、カメラ筐体７１は、筐体前面半部７１ａおよび筐体背面半部７１ｂを蓋合わせに結合することにより構成される。電源レバー７２は、カメラ７０の電源をオン／オフするためのもので、カメラ筐体７１の左上部に設けられる。シャッターボタン７３は、カメラ筐体７１内の所定の位置に配置された写真フィルムＦの画像領域ＧＡ（図５参照）に被写体を撮影するためのシャッター（図示せず）を開閉するために押圧／開放するためのもので、電源レバー７２内に設けられる。撮影レンズ７４は、撮影時にカメラ筐体７１内の所定の位置に配置された写真フィルムＦの画像領域ＧＡ（図５参照）に被写体を結像させるためのもので、筐体前面半部７１ａの略中央に設けられる。なお、図示しないが、シャッターは、撮影時にカメラ筐体７１内の所定の位置に配置された写真フィルムＦの画像領域ＧＡと、撮影レンズ７４との間に配置される。
【００２４】
図３に示すように、ファインダー窓７５は、写真フィルムＦの画像領域ＧＡ内に撮影すべき被写体のサイズ（プリント内に記録すべき被写体のサイズ）を決めるためのものであり、筐体前面半部７１ａの撮影レンズ７４の上方に設けられる。オートフォーカス（ＡＦ）窓７６ａおよび７６ｂは、撮影レンズ７４による被写体の像が写真フィルムＦの画像領域ＧＡに正確に結像する、すなわち、焦点が合うように自動焦点調整を行うために、被写体の像の光を入射させるためのもので、筐体前面半部７１ａのファインダー窓７５の上方に設けられる。フラッシュ（発光窓）７７は、撮影時に露光不足で、フラッシュ露光するためにフラッシュを発光させるためのもので、フラッシュ発光用のフラッシュ本体（図示せず）およびフラッシュ発光窓とからなり、筐体前面半部７１ａのファインダー窓７５の上方に設けられる。なお、オートフォーカス（ＡＦ）窓７６ａおよび７６ｂは、フラッシュ（発光窓）７７の両側に設けられる。
【００２５】
測光窓７８は、撮影時に被写体からカメラ７０（撮影レンズ７４）への入射光量を計測するためのもので、筐体前面半部７１ａの撮影レンズ７４の右下方に設けられる。赤目軽減ランプ７９は、フラッシュ撮影時にフラッシュの光が目の中で反射することで生じる赤目を防止するためにプレ発光を含むフラッシュ発光行わせることを示すもので、筐体前面半部７１ａの撮影レンズ７４の左下方に設けられる。
【００２６】
カートリッジ装填部８０は、ＡＰＳフィルムＦを収納するフィルムカートリッジＦｃを装填するためのもので、カメラ筐体の左側に設けられる。カートリッジ蓋８１は、カートリッジ装填部８０の下方に設けられ、カートリッジ蓋８１の開放つまみ８２によって開放され、開放されたカートリッジ装填部８０にフィルムカートリッジＦｃを下方から装填できる。フィルムカートリッジＦｃが装填されたカートリッジ装填部８０に下方からカートリッジ蓋８１を押圧することにより、カートリッジ装填部８０を閉止するようにカートリッジ蓋８１をロックすることができる。なお、カートリッジ装填部８０の上部は、シャッターボタン７３を内蔵する電源レバー７２によって構成される。
【００２７】
図２に示すように、ファインダー接眼部８３は、写真フィルムＦの画像領域ＧＡ内に撮影すべき被写体のサイズ（プリント内に記録すべき被写体サイズ）を決めるために、カメラ７０のユーザが除くためのもので、ファインダー窓７５と共にファインダーを構成し、筐体背面半部７１ｂの上側のファインダー窓７５に対応する位置に設けられる。プリントタイプ切替つまみ８４は、写真プリントとして仕上げられるプリントのタイプ、ここではＣ（クラシック）およびＨ（ハイビジョン）を決めるためのもので、筐体背面半部７１ｂのファインダー接眼部８３の（図２中）右側（シャッターボタン７３の側）に設けられる。
なお、カメラ７０は、ＡＰＳフィルムＦに被写体を撮影する機能を果たす、図示しない内部構成、種々の電気および電子回路ブロックや機械的な機能ブロックを有するものであるが、カメラ７０の構成および機能は、特願２００１−２６３２７８号明細書に記載されたカメラと同様であるが、これに限定されず、従来公知のカメラの構成および機能を備えていれば良く、どのようなものも用いることができるので、これ以上の説明は省略する。
【００２８】
また、図２に示すように、カメラ７０は、本発明の特徴とするフレームプリントを作製するためのフレーム画像としてサンプル画像６２を特定する構成部分として、サンプル画像表示カード６０と、この表示カード６０のカード装着部８６と、表示カード６０のカードＩＤ６４のカードＩＤリーダ８８と、サンプル画像６２の画像選択ボタン９０（９０ａ〜９０ｈ）と、サンプル画像６２の画像識別情報（以下、画像ＩＤという）の生成部９１（図４参照）と、画像ＩＤの磁気記録ヘッド９２（図４参照）とを有する。
【００２９】
図３において、表示カード６０としては、図１（ａ）および（ｂ）に示す表示カード６０を用いることができ、予め用意された複数、好ましくは多数の表示カードの中から、ユーザが好みに応じて選択できるようにしておくのが好ましい。カード装着部８６は、ユーザによって選択された表示カード６０を交換可能に装着または挿入するためのものであり、筐体背面半部７１ｂのファインダー接眼部８３およびプリントタイプ切替つまみ８４の下方、すなわち筐体背面半部７１ｂの上下方向の中央部分に設けられる。図示例の表示カード６０は、８個のサンプル画像６２が上下に４個ずつ配置され、その間に間隙があるので、カード装着部８６は、表示カード６０の上側と下側の各４個のサンプル画像６２を表示するための上側開口８６ａと下側開口８６ｂとが上下に配置され、これらの図２中の左側には表示カード６０挿入用の開口８６ｃが配置される。その結果、カード装着部８６の上側開口８６ａと下側開口８６ｂとの間には筐体背面半部７１ｂのカード装着部８６の間隙部８６ｄが延在する。
【００３０】
カードＩＤリーダ８８は、カード装着部８６に装着された表示カード６０を認識するための、表示カード６０の裏面に設けられたカード識別情報（カードＩＤ）６４、例えばバーコードなどの光学情報または切り欠きやパンチ孔などの物理情報等を光学的または物理的に読み取る手段であって、カード装着部８６に装着された表示カード６０の裏面のカードＩＤ６４に対応する、すなわちカードＩＤ６４を読取可能な位置に設けられる。図示例では、表示カード６０のカードＩＤ６４はバーコードであるので、カードＩＤリーダ８８は、カード装着部８６の図２中に左側の下半分に設けられるバーコードリーダである。なお、表示カード６０のカードＩＤ６４が、切り欠きやパンチ孔等の物理情報である時、カードＩＤリーダ８８は、切り欠きやパンチ孔等による光のオン／オフを読み取るための発光／受光素子からなる光学（フォト）センサや、切り欠きやパンチ孔等によってオン／オフが決められるディップスイッチ等の物理的に読み取る手段であって良い。
【００３１】
画像選択ボタン９０（９０ａ〜９０ｈ）は、カード装着部８６に装着された表示カード６０の複数、図示例では８個のサンプル画像６２の中から、ユーザが、プリント画像に合成させるサンプル画像６２を選択するために押圧する画像選択手段であって、カード装着部８６に装着された表示カード６０の８個のサンプル画像６２に対応してそれぞれ設けられる。図示例では、画像選択ボタン９０（９０ａ〜９０ｈ）として、カード装着部８６に装着された表示カード６０の８個のサンプル画像６２に対応して、カード装着部８６の間隙部８６ｄにそれぞれ８個の押圧ボタンが設けられる。
【００３２】
図４の制御系に示すように、サンプル画像６２の画像ＩＤの生成部９１は、撮影されたＡＰＳフィルムＦの各駒の磁気情報記録領域である磁気トラックＭＴ（図５参照）に、カードＩＤリーダ８８によって読み取られた装着表示カード６０のカードＩＤ６４および画像選択ボタン９０によってＡＰＳフィルムＦの各駒毎に選択されたサンプル画像６２の選択ＩＤから当該選択サンプル画像６２の画像ＩＤを生成するものである。例えば、生成部９１において、カードＩＤリーダ８８によって読み取られた図示例の表示カード６０のカードＩＤが０００００１の６ビットの情報として表現され、画像選択ボタン９０ａによって選択されたサンプル画像６２がサンプル画像６２ａであり、その選択ＩＤが００１の３ビットの情報として表現される時、選択サンプル画像６２ａの画像ＩＤが、０００００１００１の９ビットの情報として生成される。こうして、ＡＰＳフィルムＦの各駒毎の選択サンプル画像６２ａの画像ＩＤが、生成部９２において生成される。
【００３３】
磁気記録ヘッド９２は、サンプル画像６２の画像ＩＤの生成部９１において生成された、ＡＰＳフィルムＦの各駒毎の選択サンプル画像６２の画像ＩＤをＡＰＳフィルムＦの各駒の磁気トラックＭＴに書き込むためのカメラの磁気記録手段である。磁気記録ヘッド９２は、ＡＰＳのカメラが元々備えている磁気記録手段を用いることができる。上述した例では、磁気記録ヘッド９２は、ＡＰＳフィルムＦの当該駒の磁気トラックＭＴに、選択サンプル画像６２ａの画像ＩＤとして０００００１００１の９ビットの情報を書き込むことができる。
【００３４】
なお、上述した例では、本発明の特徴とするカード装着部８６、カードＩＤリーダ８８およびサンプル画像６２の画像選択ボタン９０等をカメラ７０の背面側に設けているが、本発明はこれに限定されず、側面、前面、上面、底面のいずれに設けても良い。また、カード装着部８６の形状は、図示例に限定されず、装着されるサンプル画像表示カードの形状に合わせて、適宜設定すれば良い。
上述した例は、２４０タイプのＡＰＳフィルムＦを用いるＡＰＳのカメラ７０であるが、本発明は、これに限定されず、撮影される各駒に対応して少なくとも一方の側に磁気情報記録領域（磁気トラック）が設けられている写真フィルムを用いるカメラであれば、どのようなカメラであっても、本発明を同様に適用可能である。
【００３５】
また、本発明においては、撮影される各駒に対応して磁気情報記録領域が設けられている写真フィルムを用いるカメラに限定されず、磁気情報記録領域が設けられていない写真フィルム、例えば１３５タイプの写真フィルムを用いるカメラにおいては、カメラに選択サンプル画像の選択ＩＤの液晶表示部、上述の９ビットの画像ＩＤの場合には９ビットの液晶表示部を設け、写真フィルムの画像領域外のフィルム領域に光学的に焼き付けて、光学情報記録領域を設けるようにしても良い。
なお、本発明のカメラで写真フィルムに撮影される各駒のフィルム画像に合成されるサンプル画像は、１つまたは２つのパターンの合成画像に限定されず、３つ以上のパターンの合成画像であっても良い。
本発明の第２の態様のカメラは、基本的に以上のように構成される。
【００３６】
次に、本発明の第３の態様の、フレームプリントシステムに用いられるレンズ付きフィルムについて説明する。
図６（ａ）は、本発明の、フレームプリントシステムに用いられるレンズ付きフィルムの本体の一実施例の概略正面図であり、図６（ｂ）は、図６（ａ）に示すレンズ付きフィルム本体をその包装材で包装した本発明のレンズ付きフィルムの一実施例の概略正面図である。
図６（ｂ）に示す本発明の第３の態様のレンズ付きフィルム１００は、図６（ａ）に示すレンズ付きフィルム本体１０２と、このレンズ付きフィルム本体１０２を包装する図６（ｂ）に示す包装材１０４とを有する。
【００３７】
ここで、図６（ａ）に示すレンズ付きフィルム本体１０２は、その外表面に表示された１個のサンプル画像６２を有する。この１個のサンプル画像６２の画像ＩＤは、レンズ付きフィルム本体１０２内の写真フィルムの光学情報記録領域に潜像として、または磁気情報記録領域に磁気情報として記録される。
このサンプル画像６２は、レンズ付きフィルム本体１０２内の写真フィルムの全ての駒のプリント画像にフレーム画像として合成される。こうして、レンズ付きフィルム本体１０２内の写真フィルムの全ての駒が、フレームプリントとして作製される。
【００３８】
例えば、レンズ付きフィルム本体１０２内の写真フィルムが、図５に示すような２４０タイプのＡＰＳフィルムＦであるとき、フィルムＦの画像形成領域の先端側の領域に、光学情報記録領域または磁気情報記録領域を設けて、サンプル画像６２の画像ＩＤを光学的に潜像としてまたは磁気的に記録すれば良いし、この領域に設けられているフィルム固有の識別番号ＦＩＤ（図５中下側）自体やその光学情報他を示す規格化バーコードＤＣＮ（図５中上側）自体をサンプル画像６２の画像ＩＤとして用いても良いし、これらに続く領域に光学情報や磁気情報を記録して、これらと組み合わせてサンプル画像６２の画像ＩＤとして用いても良い。
また、図示しないが、磁気情報記録領域を持たない１３５タイプの写真フィルム等の場合にも、フィルムの画像形成領域の先端側の領域、あるいは、画像形成領域以外のフィルムエッジ領域に、光学情報記録領域を設けて、サンプル画像６２の画像ＩＤを光学的に潜像として記録すれば良い。
【００３９】
なお、このレンズ付きフィルム本体１０２は、狭義において、通常、レンズ付きフィルムと呼ばれる、いわゆる、ワンタイムユースカメラである。従って、このレンズ付きフィルム本体１０２は、その外表面にサンプル画像６２が表示されており、その内部の写真フィルムの光学情報記録領域または磁気情報記録領域にサンプル画像６２の画像ＩＤが光学的に潜像としてまたは磁気的に記録されている点を除いて、従来公知のレンズ付きフィルムやワンタイムユースカメラであるので、その構成およびその機能も従来公知であり、その説明は省略する。
【００４０】
このレンズ付きフィルム本体１０２を包装する包装材１０４の外表面、すなわち外装にも、レンズ付きフィルム本体１０２と同一のサンプル画像６２が表示されている。なお、レンズ付きフィルム本体１０２の外表面およびその包装材１０４の外表面の両方に同一のサンプル画像６２が表示されているのが最も好ましいが、本発明においては、いずれか一方にサンプル画像６２が表示されていれば良い。この場合には、顧客（ユーザ）による選択が容易である点で、レンズ付きフィルム本体１０２の包装材１０４の外表面にサンプル画像６２が表示されている方が好ましい。
【００４１】
本発明においては、レンズ付きフィルム本体１０２の外表面およびその包装材１０４の外表面の少なくとも一方に１つのサンプル画像６２を表示し、レンズ付きフィルム本体１０２内の写真フィルムの全ての駒のプリント画像に合成しているが、本発明はこれに限定されず、複数のサンプル画像６２を表示し、表示された所定の順序で、レンズ付きフィルム本体１０２内の写真フィルムの全ての駒のプリント画像に合成されるようにしても良いし、また、上述したように、サンプル画像６２を１つの固定サンプル画像６２Ａと代替サンプル画像６２Ｂとして表示し、この他に複数の代替サンプル画像を表示し、表示された所定の順序で、複数の代替サンプル画像を１つの固定サンプル画像と組み合わせて合成サンプル画像とし、合成サンプル画像を所定の順序でレンズ付きフィルム本体１０２内の写真フィルムの全ての駒のプリント画像に合成されるようにしても良い。
また、レンズ付きフィルム本体１０２内の写真フィルムの全ての駒のプリント画像に合成されるサンプル画像は、１つまたは２つのパターンの合成画像に限定されず、３つ以上のパターンの合成画像であっても良い。
本発明の第３の態様のレンズ付きフィルムは、基本的に以上のように構成される。
【００４２】
次に、本発明の第４の態様のフレームプリントシステムについて説明する。
図７は、本発明のフレームプリントシステムを構成するデジタルプリンタの一実施例をブロック図で示す概略図である。
【００４３】
図７に示すデジタルデジタルプリンタ１０は、顧客が、図２および図３に示すカメラ７０または図６に示すレンズ付きフィルム本体１０２で撮影した写真フィルムＦのフィルム画像を光電的に読み取るとともに、この写真フィルムＦの光学情報記録領域または磁気情報記録領域に記録された、顧客によって選択されたサンプル画像６２の画像ＩＤを光学的にまたは磁気的に読み取る画像入力装置（以下、スキャナともいう）１２と、スキャナ１２での読取条件の設定やこれに基づくスキャナ１２の制御、スキャナ１２で読み取られたサンプル画像６２の画像ＩＤに基づく顧客の選択サンプル画像の読み出し、スキャナ１２で読み取られた画像信号のデジタル画像信号化およびその画像処理、この読取画像と顧客の選択サンプル画像６２とのデジタル画像信号としての合成、合成されたデジタル合成画像信号の画像処理、合成処理条件の設定および画像処理条件の自動設定（オートセットアップ）などを行うとともに、デジタルプリンタ１０全体の制御を行う制御装置１４と、制御装置１４で合成処理されたデジタル合成画像信号に基づいて感光材料（カラー印画紙）に画像露光し、現像処理して合成画像を担持するフレームプリントＰを出力する画像出力装置（以下、プリンタともいう）１６と、スキャナ１２で読み取られたフィルム画像や制御装置１４で合成処理された合成画像を表示し、プリンタ１６で出力される合成画像やその領域（仕上りプリント領域）を表示する画像表示装置（以下、モニタまたはディスプレイともいう）１８と、予め用意されて、画像ＩＤと対応付けられた、全てのサンプル画像表示カード６０に表示されているサンプル画像や全てのレンズ付きフィルム１００に表示されているサンプル画像、サンプル画像に合成されるスキャナ１２で読み取られたフィルム画像などの合成処理される前の各々のデジタル画像信号、または制御装置１４によって処理された、あるいはプリンタ１６で用いられるデジタル合成画像信号、さらにはデジタル画像の合成処理条件や画像処理条件や露光条件や感光材料の処理条件などを記憶するサーバーやＨＤなどや、もしくはＭＯ（光磁気記録媒体）、あるいは磁気テープやＦＤなどの磁気記録媒体とそのドライバから構成される記憶装置２０と、様々な条件の設定や処理の選択、補正などの情報の入力を行うためのキーボード２２ａやマウス２２ｂなどのデータ入力装置２２とを有する。
【００４４】
スキャナ１２は、写真フィルム（以下、単にフィルムという）Ｆ（）等に撮影された１コマの画像を光電的に読み取る装置で、光源２４と、可変絞り２６と、画像をＲ（赤）、Ｇ（緑）およびＢ（青）の三原色に分解するためのＲ、ＧおよびＢの３枚の色フィルタを有し、回転して任意の色フィルタを光路に作用させる色フィルタ板２８と、フィルムＦに入射する読取光をフィルムの光軸に垂直な面方向で均一に拡散させる拡散ボックス３０と、フィルムＦを各コマ毎に順次所定の読取位置Ｚに搬送するフィルムキャリア（以下、キャリアとする）３２と、結像レンズユニット３４と、フィルムの１コマの画像を読み取るエリアセンサであるＣＣＤセンサ３６と、アンプ（増幅器）３７とを有する。
【００４５】
なお、図示例のデジタルプリンタ１０においては、２４０タイプのネガフィルムや１３５タイプのネガ（あるいはリバーサル）フィルム等のフィルムの種類やサイズ、ストリップスやスライド等のフィルムＦの形態、トリミング等の処理の種類等に応じて、スキャナ１２の本体に装着自在な専用のキャリア３２が用意されており、キャリア３２を交換することにより、各種のフィルムや処理に対応することができる。フィルムＦに撮影され、フレームプリント作成に供されるフィルム画像（コマ）は、このキャリア３２によって所定の読取位置に搬送、保持される。
【００４６】
ここで、図８（ａ）および（ｂ）に示すように、キャリア３２は、フィルムＦの両エッジに記録された規格化バーコードＤＣ等、さらに顧客選択サンプル画像の画像ＩＤがフィルムＦの光学情報記録領域に記録されてい場合にはそのがぞうＩＤを光学的に読み取るバーコードリーダ３８を有し、さらに、図５に示すＡＰＳシステムの２４０フィルムＦ（カートリッジＦｃ）に対応するキャリア３２には、ＡＰＳフィルムＦに形成された磁気トラックＭＴに記録された顧客選択サンプル画像の画像ＩＤや、カートリッジＩＤやフィルム種等や、撮影時や現像時等に、撮影日時、撮影に使用したカメラ、現像機の種類等の各種のデータからなる磁気情報の読取・記録手段（以下、磁気記録ヘッドという）４０を有する。バーコードリーダ３８および磁気記録ヘッド４０は、フィルムを読取位置に搬送する際に、規格化コードＤＣや顧客選択サンプル画像の画像ＩＤ等の光学情報および顧客選択サンプル画像の画像ＩＤを含む種々の磁気情報を読み取り、および／または読取・記録手段４０の場合は記録し、各種の情報が制御装置１４との間でやり取りされる。
【００４７】
なお、図８（ａ）および（ｂ）に示すキャリア３２において、フィルムＦは、フィルムＦの読取位置およびサイズを決める開口４１ａを持つキャリアマスク４１の搬送上下流側にそれぞれ配置される搬送ローラ４２ａと４２ｂによって間欠的に搬送される。バーコードリーダ３８は、キャリアマスク４１の搬送上流側の搬送ローラ４２ａの上流側近傍にフィルムＦの搬送幅方向に沿って配置されている４個のバーコードリーダヘッドとなる光学センサ３８ａ，３８ｂ，３８ｂ，３８ａを有し、各光学センサ３８ａ，３８ｂは、フィルム搬送路を搬送されるフィルムＦ（点線で示される）を挟んで上下に一対の発光部３９ａと受光部３９ｂとを備えている。
【００４８】
フィルムＦの幅方向両端部に対向して設けられている光学センサ３８ａは、規格化コードＤＣや顧客選択サンプル画像の画像ＩＤなどの光学情報を読み取るためのものであるが、これらの光学情報の他、フィルムＦのパーフォレーションホールＰなどや先後端の検出をも行うものとなっている。他方、フィルム幅方向中間部に対向して設けられている光学センサ３８ｂは、フィルムＦに記録されている画像の画像領域ＧＡや画像領域間、いわゆるコマ間の非画像領域を検出するのに用いられ、フィルムＦの自動搬送やラインセンサを用いた複数コマ連続搬送読取などを行う場合に用いられる。
【００４９】
磁気記録ヘッド４０は、図５に示す２４０フィルムＦに対応するキャリア３２に設けられるもので、バーコードリーダ３８よりさらに搬送上流側にフィルムＦの両端の磁気トラックＭＴに対向して設けられている。磁気記録ヘッド４０は、磁気トラックＭＴに磁気情報を記録する記録ヘッド４０ａと、磁気トラックＭＴに記録されている顧客選択サンプル画像の画像ＩＤ等を含む磁気情報を読み取る読取ヘッド４０ｂとを有する。
【００５０】
このように構成されるバーコードリーダ３８および磁気記録ヘッド４０は、スキャナ１２に設けられたコントローラ４３に接続される。コントローラ４３は、図示しないが、キャリアの搬送ローラ４２ａおよび４２ｂなどを駆動するモータや各種センサやマスク（フィルム押え）４１の開閉などを行うソレノイドなどにも接続される。このコントローラ４３によって制御された搬送ローラ４２ａ，４２ｂによるフィルムＦの搬送の間やコマ送りの間にバーコードリーダ３８はフィルムＦの規格化コードＤＣや顧客選択サンプル画像の画像ＩＤなどの光学情報を読み取り、また磁気記録ヘッド４０の記録ヘッド４０ａは、制御装置１４からの情報を受けたコントローラ４３からの磁気情報をフィルムＦの磁気トラックＭＴに記録し、磁気記録ヘッド４０の読取ヘッド４０ｂは、フィルムＦに記録されている顧客選択サンプル画像の画像ＩＤなどを含む磁気情報を読み取る。
【００５１】
こうして、読み取られた顧客選択サンプル画像の画像ＩＤなどの光学情報および磁気情報は、コントローラ４３を経由して制御装置１４へ送られる。なお、バーコードリーダ３８および磁気記録ヘッド４０による光学情報および磁気情報の読取および取得は、フィルムＦの画像を粗く読み取るプレスキャン時のフィルム搬送やコマ送りの間に行うのがよいが、本発明はこれに限定されず、ファインスキャン時に行ってもよいし、全く別途に専用装置で行ってもよい。
【００５２】
このようなスキャナ１２においては、バーコードリーダ３８および磁気記録ヘッド４０によるフィルムＦの光学情報および磁気情報の読取が終了した１コマのフィルム画像の読取が行われる。スキャナ１２では、光源２４から射出され、可変絞り２６によって光量調整され、色フィルタ板２８を通過して色調整され、拡散ボックス３０で拡散された読取光が、キャリアによって所定の読取位置に保持されたフィルムＦの１コマに入射して、透過することにより、フィルムＦに撮影されたこのコマのフィルム画像を担持する投影光を得る。
【００５３】
フィルムＦの投影光は、結像レンズユニット３４によってＣＣＤセンサ３６の受光面に結像され、ＣＣＤセンサ３６によって光電的に読み取られ、その出力信号がアンプ３７で増幅されて、制御装置１４に送られる。ＣＣＤセンサ３６は、例えば、１３８０×９２０画素のエリアＣＣＤセンサである。ＣＣＤセンサ３６は、例えば、１３８０×９２０画素のエリアＣＣＤセンサである。また、図示例の装置では、ＣＣＤセンサ３６は、半画素に対応する量だけ画素配列方向に二次元的に移動可能に構成されており、これにより、読取画素数を見掛け上で４倍まで増やすことができる。
【００５４】
スキャナ１２においては、このような画像読取を、色フィルタ板２８の各色フィルタを順次挿入して３回行うことにより、１コマの画像をＲ，ＧおよびＢの３原色に分解して読み取る。
ここで、デジタルプリンタ１０においては、合成画像プリントＰ（フレームプリントＦＰ）を出力するための画像読取（ファインスキャン）に先立ち、顧客選択サンプル画像と読取画像との合成結果を調整するため、および合成画像、特に読取画像を表示し、その画像処理条件等を決定するために、フィルム画像を低解像度で読み取るプレスキャンを行う。従って、ＣＣＤセンサ３６による読み取りは、１コマの画像について少なくとも合計６回行われる。
【００５５】
スキャナ１２は、エリアＣＣＤセンサを用い、色フィルタ板２８によって投影光を３原色に分解して画像を読み取っているが、本発明に利用されるスキャナとしては、これに限定されず、３原色の個々の読み取りに対応する３種のラインＣＣＤセンサを用い、フィルムＦをキャリアの搬送ローラ４２ａ，４２ｂで走査搬送しつつ画像を読み取るスリット走査によって画像読み取りを行うスキャナであってもよい。このようなスキャナは、Ｒ，Ｇ，Ｂの３色を同時に読み取ることが可能であるので、プレスキャンもファインスキャンも各々１回行えばよく、例えばピース状フィルムＦであっても、ストリップス状のフィルムＦであっても、カートリッジＦｃ内の２４０フィルムＦであっても、往復で読み取ることにより、画像読取の動作を簡単化できる。また、プレスキャンは全コマ連続して読み取ることも可能である。
【００５６】
このようにして、スキャナ１２で読み取られた画像データおよび顧客選択サンプル画像の画像ＩＤは、制御装置１４に出力される。
図９に、制御装置１４の一実施例を示すブロック図が示される。
同図に示すように、制御装置１４は、本発明の特徴とする顧客選択サンプル画像と読取画像とが合成された合成画像データを生成する画像処理部１５の他に、画像処理部１５の制御を始め、スキャナ１２、制御装置１４自体およびプリンタ１６等のデジタルプリンタ１０の制御や管理を行うとともに、スキャナ１２によって取得された顧客選択サンプル画像の画像ＩＤを検索データとして、後述するサンプル画像のデータベースであるサンプル画像メモリ５４から画像ＩＤに一致する顧客選択サンプル画像を読み出して合成処理部５０に出力するためのＣＰＵ５６と、デジタルプリンタ１０を作動するのに必要なデータを記憶する、例えば顧客選択サンプル画像と読取画像とが合成された合成画像データを記憶するためのメモリ５８を有し、また合成画像やサンプル画像の種々の情報（テンプレートファイルの内容）を表示するモニタ１８、必要なデータ（項目）を入力するキーボード２２ａ、テンプレートファイルにおいて、種々のデータの指定等を行うマウス２２ｂ（またはそれらのコード番号などの指定記号をキーボード２２ａで入力してもよい。）、画像出力装置１６などがＣＰＵ等（ＣＰＵバス）を介して各部分に接続される。
【００５７】
画像処理部１５は、Ａ／Ｄ変換器４４、画像前処理部４５、プレスキャン（フレーム）メモリ４６ａとファインスキャン（フレーム）メモリ４６ｂとを含む読取画像（フレーム）メモリ４６、画像加工処理部４８、合成処理部５０、Ｄ／Ａ変換器５２およびサンプル画像（テンプレート画像）メモリ５４を有する。
ここで、Ａ／Ｄ変換器４４は、スキャナ１２から出力されたＲ，ＧおよびＢの各画像データを、それぞれデジタル画像データとする。前処理部４５は、得られたデジタル画像データに、必要に応じてＤＣオフセット補正、暗時補正、Ｌｏｇ変換、シェーディング補正、ネガ／ポジ変換等の各種の変換・補正処理を施すものである。
【００５８】
読取画像メモリ（フレームメモリ）４６は、こうして得られた前処理画像信号データを記憶（格納）しておくもので、この前処理画像信号データのうち、プレスキャン画像データはプレスキャンメモリ４６ａに、ファインスキャン画像データはファインスキャンメモリ４６ｂに、それぞれ記憶される。なお、フレームメモリ４６は、制御装置１４内に内蔵されていてもよいが、記憶装置２０の一部をフレームメモリ４６として用いてもよい。
なお、画像前処理部４５で行われるネガ／ポジ変換は、ネガフィルムから読み取られたネガ画像をリバーサルフィルムから読み取られたポジ画像にあるいはポジ画像をネガ画像に変換するものである。
【００５９】
画像加工処理部４８は、得られた画像データの処理条件（画像処理条件）を設定すると共に、設定された画像処理条件に応じて画像データに画像処理を施すものである。
画像加工処理部４８では、まず、プレスキャンメモリ４６ａからプレスキャン画像データが読み出され、濃度ヒストグラムの作成や画像特徴量の算出等が行われ、色／階調補正、電子倍率、ダイナミックレンジ処理、シャープネス等の各種の画像処理条件が設定される。
【００６０】
こうして画像処理条件が設定されると、画像加工処理部４８では、設定された画像処理条件に応じて、プレスキャン画像データに、またはファインスキャン時であれば、ファインスキャンメモリ４６ｂから読み出されたファインスキャン画像データに、まず必要に応じて画像の縦横の回転（−９０°または９０°）、または反転（±１８０°）、もしくは任意の角度（±θ）の回転が行われ、続いて画像の色および／または階調の補正、次に、設定された電子倍率に応じて画像の拡大／縮小処理（電子変倍）、次いで画像データのダイナミックレンジの圧縮および／または伸張（画像処理による覆い焼き効果等の付与）などが行われ、さらにアンシャープネスマスク等によってシャープネス処理（鮮鋭化処理）が施される。
【００６１】
画像処理部４８によって設定された画像処理条件に応じて処理されたプレスキャン画像は、後段の合成処理部５０でサンプル画像（テンプレート画像）と合成された後に、合成画像としてＣＲＴ等のモニタ１８に表示されるが、必要に応じて、表示された合成画像中のプレスキャン画像を目視して、オペレータによる検定および色／濃度調整や階調調整等を行い、プレスキャン画像で設定された画像処理条件を補正するようにしてもよい。
【００６２】
また、サンプル画像メモリ５４は、デジタルプリンタ１０に予め用意されている全てのサンプル画像表示カード６０に表示された全てのサンプル画像（ここでは、テンプレート画像、背景画像または台紙画像ともいうことができる）６２のデジタル画像データをテンプレートファイルとして記憶（格納）するもので、これらのサンプル画像データは、スキャナ１２のバーコードリーダ３８や磁気記録ヘッド４０で読み取られたサンプル画像ＩＤを検索データとすることにより、ＣＰＵ５６によってサンプル画像メモリ５４から検索して読み出せるようになっている。なお、フレームメモリ４６やサンプル画像メモリ５４は、制御装置１４内に内蔵されていてもよいが、記憶装置２０の一部に割り当てられるものであってもよい。
【００６３】
合成処理部５０は、本発明の特徴とする顧客選択サンプル画像と顧客のフィルム画像の合成プリント画像を作製する部分であって、画像加工処理部４８から出力される画像データと、サンプル画像メモリ５４からＣＰＵ５６によってサンプル画像ＩＤを検索データとして読み出されるサンプル画像とを互いに正像となるように合成するものである。合成処理部５０で実施される顧客選択サンプル画像と顧客のフィルム画像の合成方法については後述する。
【００６４】
なお、合成処理部５０においては、画像加工処理部４８から出力される画像データが、ファインスキャン画像データである場合には、顧客選択サンプル画像と顧客のフィルム画像とが合成された合成画像データは、各件毎にメモリ５８または記憶装置２０に格納され、あるいは直接プリンタ１６に出力される。一方、顧客フィルムの画像をモノクロで連続的に読み取ってモニタ１８に表示するビデオモードにおける画像データ、またはプレスキャン画像データである場合には、モニタ１８の表示方式に応じた解像度（画素密度）および形式の画像データ（デバイス依存画像データ）に変換され、Ｄ／Ａ変換器５２においてデジタル画像データ信号からアナログ画像データ信号に変換されて、モニタ１８に出力される。こうして得られたアナログ画像データ信号に基づいてサンプル画像とフィルム画像との合成画像がモニタ１８に表示される。
【００６５】
ＣＰＵ５６は、文字と画像の合成を行う画像処理部１５の制御を始め、スキャナ１２、制御装置１４自体およびプリンタ１６等のデジタルプリンタ１０の制御や管理を行うもので、具体的には、スキャナ１２での読み取り条件の設定やこれに基づくスキャナ１２の制御、スキャナ１２で読み取られたサンプル画像の画像ＩＤを用いたサンプル画像メモリ５４からのサンプル画像の読み出し、スキャナ１２で読み取られた画像信号のデジタル画像信号化およびその画像処理、この読取画像と顧客が選択したサンプル画像とのデジタル画像信号としての合成、合成されたデジタル合成画像信号の画像処理、合成処理条件の設定および画像処理条件の自動設定（オートセットアップ）、合成画像の露光、現像などの合成プリント画像の作製等を制御して、デジタルプリンタ１０全体の制御や管理を行う。
【００６６】
メモリ５８は、デジタルプリンタ１０を作動するのに必要な制御データや合成画像データなどを記憶するためのもので、特に、本発明のフレームプリントシステムを制御するための条件や情報や実施するためのデータ、例えば、合成画像データなどを各件毎に記憶するためのものである。ＣＰＵ５６は、上述した種々の制御や管理を行う際にメモリ５８、特にその中のジョブファイルを参照する。なお、これらのデータの少なくとも一部を記憶装置２０に記憶させておき、ＣＰＵ５６が、その制御に際し、記憶装置２０を参照するように構成してもよい。
制御装置１４は、基本的に以上のように構成される。
【００６７】
上述したように、制御装置１４で合成処理された顧客選択サンプルと顧客フィルム画像とのデジタル合成画像データは、プリンタ１６に出力される。
プリンタ１６は、プリント条件に従って、制御装置１４で合成処理されたデジタル合成画像データ信号に基づいて感光材料Ａに画像露光し、現像処理して再生画像を担持するプリントＰ（フレームプリントＦＰ）を出力するものである。
【００６８】
モニタ１８は、図７または図９に示すように、スキャナ１２でプレスキャンによって読み取られ、制御装置１４で画像処理されたフィルム画像や制御装置１４でこの読取画像とサンプル画像とが合成処理された合成画像を表示し、プリンタ１６で再生される画像の領域（仕上りプリント領域）を表示するものである。なお、モニタ１８は、プレスキャン画像を表示するだけでなく、ビデオモードとして、顧客フィルムの画像をモノクロで連続的に読み取りモニタ１８に表示することができるのが好ましく、プレスキャン時でもよいが、このビデオモードにおいて、オペレータはモニタ１８を見て、仕上りプリント領域内の画像の位置や画像の範囲（倍率）や合成画像中の画像窓内の顧客画像の位置や画像の範囲（倍率）などを調整・修正できるように構成するのが好ましい。また、本発明においては、通常は、プレスキャン時でも、ファインスキャン時でもオペレータが合成画像の調整・修正を制御装置１４に指示すると、一旦、ビデオモードに自動的に切り替わり、調整・修正後、再び、プレスキャン（３回）とファインスキャン（３回）とを連続して行うことができる。
【００６９】
記憶装置２０は、図１に示すように、制御装置１４内の内蔵メモリであるメモリ５８、フレームメモリ４６、サンプル画像メモリ５４などの補助メモリやバックアップメモリとして使用されるもので、サーバやＨＤやリムーバブルＨＤなどや、もしくはＭＯ（光磁気記録媒体）あるいは磁気テープやＦＤなどの磁気記録媒体とそのドライバから構成され、予め用意されるサンプル画像、これに合成されるスキャナ１２で読み取られたフィルム画像などの合成処理される前の各々のデジタル画像信号、または制御装置１４によって処理された、あるいはプリンタ１６で用いられるデジタル合成画像信号、さらにはデジタル画像の合成処理条件や画像処理条件や露光条件や感光材料の処理条件などの一部もしくは全部を記憶する。制御装置１４内の内蔵メモリの代わりに記憶装置２０を使用するようにしてもよい。
【００７０】
本発明のフレームプリントシステムに用いられるデジタルプリンタ１０は、基本的に以上のように構成されるが、以下に、このデジタルプリンタ１０において実施されるサンプル画像とフィルム画像の合成方法を詳細に説明する。
図１０に、本発明に用いられるデジタルプリンタ１０の制御装置１４の合成処理部５０において行われる画像合成処理工程の一例のフローチャートを示す。
【００７１】
図１０に示すように、合成処理部５０には、３原色、例えばＲＧＢのそれぞれについて、顧客によって選択されたサンプル画像（テンプレート画像）Ｉｔｐおよびマスク画像Ｉｍが、スキャナ１２によって読み取られたサンプル画像ＩＤを介してＣＰＵ５６によって、サンプル画像メモリ５４から読み出されている。また、合成処理部５０には、スキャン画像Ｉｓが、ＲＧＢのそれぞれについて、画像処理部１５のフレームメモリ４６から読み出され、画像加工処理部４８で画像処理された後、入力されている。
なお、図１０には、上述したＲＧＢ画像データの１色の画像データ、例えばＧ画像データのみが表わされているものとするが、残りのＲ，Ｂの２色についても同様に表わすことができることはいうまでもない。
【００７２】
ここで、サンプル画像Ｉｔｐは、合成を行うテンプレート座標系において上位のレイヤ（層）に配置される画像であって、プリンタ１６の出力解像度と同じ解像度のビットマップ画像である。また、サンプル画像Ｉｔｐには、その絵柄の中や外に何種類かの絵柄や模様や定型文字（文）などの文字のビットマップ画像を含んでいても良い。
【００７３】
次に、マスク画像Ｉｍは、テンプレート座標系において中位のレイヤに配置され、スキャン画像Ｉｓが組み込まれる画像領域Ａｍｗ以外の領域、従ってサンプル画像Ｉｔｐが存在する領域、すなわち非スキャン画像領域Ａｍｔにおける画像データ（画像加工処理部４８から出力される読取画像データ）をマスクするためのものである。このマスク画像Ｉｍは、図示例では、画像データが各色８ビットデータ（計２４ビットフルカラー）で表わされる時、画像領域Ａｍｗの領域内では、マスク値が、ＲＧＢのいずれの画像についても２５５に設定され、下位レイヤに配置されるスキャン画像Ｉｓを優先し、画像領域Ａｍｗの領域外の非スキャン画像領域Ａｍｔでは、マスク値がＲＧＢのいずれの画像についても、０に設定され、上位レイヤに配置されるテンプレート画像Ｉｔｐを優先するように構成される。すなわち、マスク画像Ｉｍは、サンプル画像Ｉｔｐが存在する領域Ａｍｔにおいてマスク値が０となり、それ以外の領域Ａｍｗでは全てマスク値が２５５となるので、サンプル画像Ｉｔｐのみによって決定されるもので、０と２５５の２値しか取らないがサンプル画像Ｉｔｐと対をなす反転画像ということができるものである。
【００７４】
スキャン画像Ｉｓは、テンプレート座標系において下位のレイヤに配置され、顧客がフレーム画像合成を希望するフィルム画像であって、合成されるサンプル画像Ｉｔｐに一致するサイズに読み取られている。すなわち、図示例では、サンプル画像Ｉｔｐ、マスク画像Ｉｍおよびスキャン画像Ｉｓは、同一サイズとして準備されている。
【００７５】
図１０に示すように、以上で説明したようなサンプル画像（ビットマップ画像）Ｉｔｐと、スキャン画像Ｉｓの画像領域Ａｍｗを持つマスク画像ＩｍとがＲＧＢ３色についてそれぞれ準備されると、各色について、サンプル画像Ｉｔｐを最上位レイヤとし、スキャン画像Ｉｓを最下位レイヤとし、その間の中位レイヤにマスク画像Ｉｍを挟んでマスクし、サンプル画像Ｉｔｐとスキャン画像Ｉｓとがマスク合成処理され、合成プリント画像Ｐが作成される。この時、サンプル画像Ｉｔｐとスキャン画像Ｉｓとは、それぞれの天方向の向きが一致し、互いに正像となるように合成される。従って、合成プリント画像Ｐの天方向の向きはサンプル画像Ｉｔｐおよびスキャン画像Ｉｓの天方向の向きと一致する。なお、スキャン画像Ｉｓをスキャナ１２で読み取る場合に、スキャン画像Ｉｓの読み取り方向と天方向の向きとが異なる場合であっても、天方向の向きに応じてスキャン画像Ｉｓは自動回転され、サンプル画像Ｉｔｐに対して互いに正像となるように合成される。
【００７６】
こうして、サンプル画像Ｉｔｐとスキャン画像Ｉｓとが合成された合成プリント画像Ｐを得ることができるが、この合成プリント画像Ｐはモニタ１８に表示されるので、モニタ１８の表示画面で確認することにより、文字画像Ｍｃやスキャン画像Ｉｓなどをその天方向の向きに合わせて９０°単位で、もしくは任意の角度θ単位で回転させることもできるのが好ましく、これらの画像の配置を微調整することもできるのがよい。
【００７７】
このようにして、顧客選択サンプル画像と顧客フィルム画像とがその天方向が一致し、互いに正像となるように合成されたプリント画像データが得られるが、このような合成処理部５０による合成処理は、ＣＲＴディスプレイ１８に表示するために、まず、スキャナ１２による顧客フィルム画像の、ビデオモードでの連続読み取り画像データ、またはプレスキャン画像データに対して行われる。これらのビデオモード画像データ、またはプレスキャン画像データとサンプル画像とが合成された合成画像データが、合成処理部５０からＤ／Ａ変換器５２を経てＣＲＴディスプレイ１８に表示される。
【００７８】
この表示合成画像をオペレータが合成されたサンプル画像およびフィルム画像の合成状態を目で確認して、互いの画像の天方向が一致し、互いに正像となっており、その配置位置や組み込みサイズなどが正確であれば、その旨の入力をすると、デジタルプリンタ１０は、スキャナ１２によって顧客フィルム画像のプレスキャンおよびファインスキャン、またはプレスキャン後であれば直ちにファインスキャンを行って得られた画像データに、制御装置１４において、前述したような画像前処理、画像加工処理を行った後、合成処理部５０において上述した顧客選択サンプル画像と顧客フィルム画像の合成処理を行う。こうして得られたプリント画像データは、顧客選択サンプル画像および顧客フィルム画像とが互いの天方向が一致し、互いに正像となるように綺麗かつ正確に合成された合成画像となる合成画像データである。
【００７９】
一方、ディスプレイ１８に表示された合成プリント画像を修正、特にその位置やサイズ（倍率）を修正する場合には、このデジタルプリンタ１０では、特にビデオモードでは、合成画像はほぼリアルタイムでディスプレイ１８に表示されるので、ディスプレイ１８の表示合成画像を見ながら、スキャナ１２のキャリア３２によって顧客フィルム画像であるフィルムＦ等の位置を調整し、特に、スキャン画像の天方向の向きが一致しない場合には正像となるように回転し、あるいは交換し、または結像レンズユニット３４によってサイズや倍率を調整することにより行うことができる。こうして得られたプリント画像データは、顧客選択サンプル画像および顧客フィルム画像とが互いの天方向が一致し、互いに正像となるように綺麗かつ正確に合成された合成画像データであるのは勿論、両画像やその天方向の向きに誤りやずれなどが全く無い画像であるといえる。
【００８０】
こうして１件の合成プリント画像データが得られると、得られた合成画像データを、合成処理部５０から直接プリンタ１６に送り、プリント画像Ｐ（フレームプリント）を出力することができる。
なお、本発明では、得られた１件の合成画像データをＣＰＵ５６によってメモリ５８内に記憶しても良い。このようにして、各件毎に所定件数の合成画像データがメモリ５８内に格納される。こうして、画像合成処理工程が終了する。この後、次のロットの複数件の合成画像データの生成作業を行ってもよい。
【００８１】
なお、上述した例では、フレームプリント画像は、顧客選択のサンプル画像と顧客画像（原画像）との合成画像であるが、本発明はこれに限定されず、フレーム画像として使用できるものであれば、サンプル画像の他、背景画像やテンプレート画像や台紙画像や、文字画像や、マークや模様や、撮影画像などのいずれを用いても良い。
本発明に適用されるフレームプリントの合成プリント方法および本発明の第４の態様のフレームプリントシステムは、基本的に以上のように構成される。
【００８２】
以上、本発明のフレームプリントシステム、これに用いられるサンプル画像表示カード、カメラおよびレンズ付きフィルムについて、種々の実施例を挙げて詳細に説明したが、本発明は上記実施例に限定はされず、本発明の要旨を逸脱しない範囲において、種々の改良および変更を行ってもよいのはもちろんである。
例えば、顧客画像（原画像）や顧客フィルムの読取画像は、すでに顧客フィルムから読み取られて、またはコンピュータなどで生成されて、もしくはデジタルスチルカメラ等で撮影されてＦＤ，ＨＤ，ＭＯやスマートメディア（商標）などの画像記録媒体に格納された画像データを用いても良いし、サンプル画像も同様に、コンピュータなどで生成されて、、もしくはデジタルスチルカメラやデジタルビデオカメラ等で撮影されてＦＤ，ＨＤ，ＭＯやスマートメディア（商標）などの画像記録媒体に格納された画像データを用いても良いし、サンプル画像の画像ＩＤも、デジタルカメラ等で指定するものであっても良い。
【００８３】
【発明の効果】
以上詳述したように、本発明によれば、プリント画像にフレーム画像として合成（重ね合わせ合成）させるサンプル画像を、顧客やユーザが自ら選択できるので、顧客やユーザの好みを反映させたフレームプリントを得ることができ、写真の楽しみ方を増大させることができる。
また、本発明によれば、デジタルプリントシステムのデジタルフォトプリンタを用い、フレーム画像や背景画像や文字画像等のサンプル画像と顧客やユーザの撮影画像（原画像）とが合成された合成プリント画像を作製する際に、合成プリント画像の画質を劣化させることがなく、顧客やユーザが撮影時に合成させたいサンプル画像を自分で選択することができ、顧客やユーザの好みのサンプル画像が合成された高画質なフレームプリントを得ることができる。
【００８４】
また、本発明によれば、撮影前に予め写真フィルムにサンプル画像をフレーム画像としてプレ露光しておくプレ露光タイプのフレームプリントに比べて、より鮮明なフレームプリントを得ることができる。
また、本発明によれば、どのようなデザインのフレームプリントをも作製することができる。
【図面の簡単な説明】
【図１】（ａ）および（ｂ）は、それぞれ本発明の、フレームプリントシステムに用いられるサンプル画像表示カードの一実施例の概略正面図およびその裏面図である。
【図２】図１（ａ）および（ｂ）に示すサンプル画像表示カードが装着された本発明の、フレームプリントシステムに用いられるカメラの一実施例の裏面側の概略斜視図である。
【図３】図２に示すカメラの正面側の概略斜視図である。
【図４】図２および図３に示すカメラのサンプル画像の識別情報の生成および記録を行う制御系の一実施例のブロック図である。
【図５】図２および図３に示すカメラに用いられるＡＰＳタイプの写真フィルムおよびそのフィルムカートリッジの一例の概略図である。
【図６】（ａ）は、本発明の、フレームプリントシステムに用いられるレンズ付きフィルムの本体の一実施例の概略正面図であり、（ｂ）は、（ａ）に示すレンズ付きフィルムの本体をその包装材で包装した本発明のレンズ付きフィルムの一実施例の概略正面図である。
【図７】本発明のフレームプリントシステムを構成するデジタルプリンタの一実施例のブロック図である。
【図８】（ａ）は、図７に示すデジタルプリンタのスキャナのキャリア３２を含む部分拡大図であり、（ｂ）は、（ａ）に示すキャリアのバーコードリーダおよび磁気情報の読取・記録手段の一実施例を示すブロック図である。
【図９】図７に示すデジタルプリンタの制御装置の一実施例のブロック図で示す概略図である。
【図１０】本発明のフレームプリントシステムにおいて行われる画像合成工程の一実施例の流れ（フロー）を示す説明図である。
【図１１】（ａ）および（ｂ）は、それぞれ本発明のフレームプリントシステムにおいて作製されたフレームプリントの一例を示す図である。
【符号の説明】
１０　デジタルプリントシステム
１２　画像入力装置
１４　制御装置
１５　画像処理部
１６　画像出力装置
１８　画像表示装置（ディスプレイモニタ）
２０　外部記憶装置
２２　データ入力装置
２２ａ　キーボード
２２ｂ　マウス
３８　バーコードリーダ
４０　磁気記録ヘッド
４５　画像前処理部
４６，４６ａ，４６ｂ　フレームメモリ
４８　画像加工処理部
５０　合成処理部
５４　サンプル画像メモリ
５６　ＣＰＵ
５８　メモリ
６０　サンプル画像表示カード
６２　サンプル画像
６４　カードＩＤ
７０　カメラ
８６　カード装着部
８８　カードＩＤリーダ
９０　画像選択ボタン
９１　画像ＩＤの生成部
９２　磁気記録ヘッド
１００　レンズ付きフィルム
１０２　レンズ付きフィルム本体
１０４　包装材
Ａｍｔ　画像領域
Ａｍｗ　非画像領域
Ｉｔｐ　サンプル画像（背景画像、テンプレート画像）
Ｉｍ　マスク画像
Ｉｓ　スキャン（顧客）画像
Ｐ　プリント画像
ＦＰ　フレームプリント
【図１】
2004053843.tif 000003
【図２】
2004053843.tif 000004
【図３】
2004053843.tif 000005
【図４】
2004053843.tif 000006
【図５】
2004053843.tif 000007
【図６】
2004053843.tif 000008
【図７】
2004053843.tif 000009
【図８】
2004053843.tif 000010
【図９】
2004053843.tif 000011
【図１０】
2004053843.tif 000012
【図１１】
2004053843.tif 000013